【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
表示画面上にて絵柄を変動表示する絵柄表示装置と、
遊技を統括管理する主制御手段と、
該主制御手段の配下で前記絵柄表示装置を表示制御する表示制御手段と
を備え、
前記主制御手段は、
所定の判定を行う判定手段と、
絵柄の変動表示を最終停止表示させるまでの変動表示時間を決定する変動表示時間決定手段と、
前記判定手段の判定結果が第１結果又は第２結果であって前記変動表示時間決定手段の決定した変動表示時間を経過した場合、遊技状態を通常遊技状態より遊技者に有利な特別遊技状態に移行させる特別遊技状態移行手段と、
前記判定手段の判定結果が前記第１結果である場合、前記特別遊技状態の終了後に、前記判定手段の判定結果が前記第２結果である場合より遊技者に有利な特定遊技状態に移行させる特定遊技状態移行手段と
を備え、
前記表示制御手段は、前記変動表示時間決定手段の決定した変動表示時間内で絵柄の変動表示を終了させるように、且つ、前記判定手段の判定結果が前記第１結果である場合には特定絵柄を最終停止表示させ、前記判定手段の判定結果が前記第２結果である場合には非特定絵柄を最終停止表示させるように、前記絵柄表示装置を表示制御する遊技機において、
前記表示制御手段は、
前記判定手段の判定結果が前記第１結果である場合に、前記非特定絵柄を最終停止表示させることが可能か否かを、少なくとも前記変動表示時間決定手段の決定した変動表示時間に基づいて判断する判断手段と、
前記判断手段が可能であると判断した場合に、前記非特定絵柄を最終停止表示させるよう停止絵柄を決定する最終停止表示絵柄決定手段と
を備えることを特徴とする遊技機。
【請求項２】
表示画面上にて複数の絵柄列が所定の向きに循環表示されるように絵柄を変動表示する絵柄表示装置と、
遊技を統括管理する主制御手段と、
該主制御手段の配下で前記絵柄表示装置を表示制御する表示制御手段と
を備え、
前記主制御手段は、
所定の判定を行う判定手段と、
前記各絵柄列を最終停止表示させるまでの変動表示時間を決定する変動表示時間決定手段と、
前記判定手段の判定結果が第１結果又は第２結果であって前記変動表示時間決定手段の決定した変動表示時間を経過した場合、遊技状態を通常遊技状態より遊技者に有利な特別遊技状態に移行させる特別遊技状態移行手段と、
前記判定手段の判定結果が前記第１結果である場合、前記特別遊技状態の終了後に、前記判定手段の判定結果が前記第２結果である場合より遊技者に有利な特定遊技状態に移行させる特定遊技状態移行手段とを備え、
前記表示制御手段は、
前記変動表示時間決定手段の決定した変動表示時間内で前記各絵柄列の変動表示を終了させるように、且つ、前記判定手段の判定結果が前記第１結果である場合には予め設定されている有効ラインに特定絵柄の組み合わせを最終停止表示させ、前記判定手段の判定結果が前記第２結果である場合には前記有効ラインに非特定絵柄の組み合わせを最終停止表示させるように、前記絵柄表示装置を表示制御し、
少なくとも前記判定手段の判定結果が前記第１結果又は前記第２結果である場合の少なくとも一部では、前記変動表示時間決定手段の決定する変動表示時間と、前記有効ラインに最終停止表示させる各絵柄列の停止絵柄とが対応付けられている遊技機において、
前記絵柄表示装置は前記有効ラインを複数有し、
前記表示制御手段は、
前記有効ラインに最終停止表示させる各絵柄列の停止絵柄を把握する停止絵柄把握手段と、
前記特定絵柄又は前記非特定絵柄の組み合わせを最終停止表示させる場合、前記有効ラインのいずれかに前記特定絵柄又は前記非特定絵柄の組み合わせを構成する待機絵柄が停止表示されるように１の規定絵柄列を除く他の絵柄列の変動表示を終了させ、前記待機絵柄の停止表示後に前記規定絵柄列の変動表示を終了させる待機変動表示を行わせるよう前記絵柄表示装置を表示制御する待機変動表示手段と、
前記停止絵柄把握手段の把握結果が、第１有効ラインに前記特定絵柄の組み合わせを最終停止表示させると共に第２有効ラインに前記規定絵柄列の非特定絵柄を最終停止表示させる把握結果である場合、前記第２有効ラインに前記非特定絵柄の組み合わせを最終停止表示させるよう前記待機絵柄を変更することが可能な待機絵柄変更手段と
を備えることを特徴とする遊技機。
【請求項３】
前記表示制御手段は、前記待機絵柄変更手段が前記待機絵柄の変更を行う確率が異なる複数の表示モードを記憶する表示モード記憶手段と、前記各表示モードのうちいずれかの表示モードを設定する表示モード設定手段と、該表示モード設定手段の設定した表示モードに応じた確率で前記待機絵柄変更手段による待機絵柄の変更を行わせるか否かを決定する変更決定手段とを備えることを特徴とする請求項２に記載の遊技機。
【請求項４】
前記待機変動表示手段は、前記待機絵柄を停止表示させた際に前記表示画面に表示させる前記規定絵柄列の絵柄と、前記待機絵柄の停止表示後に前記規定絵柄列を循環表示させる循環速度とが、最終停止表示される各絵柄列の停止絵柄に関わらず同一の所定待機変動を行わせるよう前記絵柄表示装置を表示制御する所定待機変動表示手段を有し、前記待機絵柄変更手段は、前記所定待機変動表示手段が前記所定待機変動を行わせるよう前記絵柄表示装置を表示制御する場合に前記待機絵柄の変更を行うことが可能であることを特徴とする請求項２又は３に記載の遊技機。
【請求項５】
前記主制御手段は、前記変動表示時間決定手段が第３有効ラインに前記特定絵柄の組み合わせを最終停止表示させると共に他の有効ラインのいずれにも前記規定絵柄列の非特定絵柄を最終停止表示させないように変動表示時間を決定した場合、前記第３有効ラインに前記非特定絵柄の組み合わせを最終停止表示させるように変動表示時間を変更することが可能な変動表示時間変更手段を備えることを特徴とする請求項２乃至４のいずれか１に記載の遊技機。
【請求項６】
前記主制御手段は、前記判定手段の判定結果が第３結果である場合に各絵柄列の停止絵柄を決定する停止絵柄決定手段と、該停止絵柄決定手段の決定結果が前記第３有効ラインに前記特定絵柄の組み合わせを構成する特定待機絵柄を最終停止表示させると共に当該第３有効ラインに前記特定絵柄の組み合わせを最終停止表示させない決定結果である場合、前記第３有効ラインに前記非特定絵柄の組み合わせを構成する非特定待機絵柄を最終停止表示させるように待機絵柄を変更することが可能な外れ待機絵柄変更手段とを備えることを特徴とする請求項５に記載の遊技機。
【請求項７】
表示画面上にて複数の絵柄列が所定の向きに循環表示されるように絵柄を変動表示する絵柄表示装置と、
遊技を統括管理する主制御手段と、
該主制御手段の配下で前記絵柄表示装置を表示制御する表示制御手段と
を備え、
前記主制御手段は、
所定の判定を行う判定手段と、
前記判定手段の判定結果に基づいて各絵柄列の停止絵柄を決定すると共に、前記判定手段の判定結果が第１結果である場合には特定絵柄の組み合わせが予め設定されている有効ラインに最終停止表示されるように、前記判定手段の判定結果が第２結果である場合には非特定絵柄の組み合わせが前記有効ラインに最終停止表示されるように、各絵柄列の停止絵柄を決定する停止絵柄決定手段と、
前記判定手段の判定結果に基づいて、前記各絵柄列を最終停止表示させるまでの変動表示時間を決定する変動表示時間決定手段と、
前記判定手段の判定結果が前記第１結果又は前記第２結果であって前記変動表示時間決定手段の決定した変動表示時間を経過した場合、遊技状態を通常遊技状態より遊技者に有利な特別遊技状態に移行させる特別遊技状態移行手段と、
前記判定手段の判定結果が前記第１結果である場合、前記特別遊技状態の終了後に、前記判定手段の判定結果が前記第２結果である場合より遊技者に有利な特定遊技状態に移行させる特定遊技状態移行手段と
を備え、
前記表示制御手段は、前記変動表示時間決定手段の決定した変動表示時間内で前記各絵柄列の変動表示を終了させるように、且つ前記変動表示時間の経過タイミングで前記停止絵柄決定手段の決定結果に基づいた停止絵柄を前記有効ラインに最終停止表示させるように前記絵柄表示装置を表示制御する遊技機において、
前記絵柄表示装置は前記有効ラインを複数有し、
前記表示制御手段は、
前記特定絵柄又は前記非特定絵柄の組み合わせを最終停止表示させる場合、前記有効ラインのいずれかに前記特定絵柄又は前記非特定絵柄の組み合わせを構成する待機絵柄が停止表示されるように１の規定絵柄列を除く他の絵柄列の変動表示を終了させ、前記待機絵柄の停止表示後に前記規定絵柄列の変動表示を終了させる待機変動表示を行わせるよう前記絵柄表示装置を表示制御する待機変動表示手段と、
前記停止絵柄決定手段の決定結果が、第１有効ラインに前記特定絵柄の組み合わせを最終停止表示させると共に第２有効ラインに前記規定絵柄列の非特定絵柄を最終停止表示させる決定結果である場合、前記第２有効ラインに前記非特定絵柄の組み合わせを最終停止表示させるよう前記待機絵柄を変更することが可能な待機絵柄変更手段と
を備えることを特徴とする遊技機。